(57)【要約】【課題】  メダル投入口から異物を挿入することによる不正行為を防止する。【解決手段】  メダル投入口と、メダルセレクタ４０との間に通路形成部材４５を設ける。この通路形成部材４５には、メダルの案内方向を軸にして所定の角度θ捩ったメダル通路が設けられている。例えば通路形成部材４５の長手方向の幅をＡ、メダル投入口から挿入されるセル板８５の幅がα、メダルセレクタ４０の内部に設けられた光センサ８０，８１の水平方向の間隔をＢとすると、（Ａーα）ｃｏｓθ＜２Ｂの条件を満たすように、光センサ８０，８１を配置することによって、セル板８５を用いて不正に光センサ８０，８１を誤検出させ、不正にメダルクレジットを行う行為を防止することができる。【選択図】        図９
2005211122.tif 000002
【特許請求の範囲】
【請求項１】
遊技の際にメダルを投入する投入口と、
投入されたメダルを振り分けるメダル振分け装置と、
前記投入口と前記メダル振分け装置との間に設けられ、投入されたメダルを前記メダル振分け装置へと案内する案内通路と、を備え、
前記案内通路の前記投入口と連通する第１開口と、前記案内通路の前記メダル振分け装置と連通する第２開口とを、前記メダルの案内方向に直交する面に投影したときに、前記第１開口の長手方向と前記第２開口の長手方向とが交差するように、前記案内通路を前記メダルの案内方向を軸にして捩った形状としたことを特徴とする遊技機。
【請求項２】
前記案内方向に直交する前記案内通路の断面において、前記案内通路の長手方向を構成する２つの辺のそれぞれに前記案内通路を通過するメダルを捩る際の支点を設け、これら支点を前記案内通路の長手方向の中心から相反する方向にずらして配置したことを特徴とする請求項１記載の遊技機。
【請求項３】
前記案内通路の断面において、前記案内通路の長手方向を構成する２つの辺のそれぞれを前記案内通路の中心側に屈曲させて前記支点を設け、前記案内通路の最小の隙間をメダル１枚以上２枚未満の間隔としたことを特徴とする請求項２記載の遊技機。
【請求項４】
前記メダル振分け装置は、通過するメダルを検出する２個の検出手段を備え、
前記投入口の長手方向の長さをＡ、前記２個の検出手段の水平方向の幅をＢ、前記第１開口と第２開口とを前記メダルの案内方向に直交する面に投影したときに交差する角度をθ、前記投入口から挿入される異物の幅をαとした場合に、前記投入口と前記２個の検出手段とを、（Ａ−α）ｃｏｓθ＜２Ｂを満足するように配置したことを特徴とする請求項１〜３いずれか記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダルを投入することで、遊技をおこなうことが可能となる。メダル投入口から投入されたメダルは、該メダル投入口に連通するメダル通路（案内通路）の内部を通過し、セレクタに案内される。セレクタは、周知のように、投入されたメダルが適切なものであるか否かによって、投入されたメダルを振り分ける装置である。このセレクタによって適正であることが判断されたメダルは、セレクタ内に設けられた２個の検出センサ（例えば反射型の光センサ）によって検出された後に、払い出し装置であるホッパー装置に貯留される。なお、上記２個の検出センサによりメダルが検出されると、１枚のメダルが投入されたことがカウントされるようになっている。
【発明の開示】
【発明が解決しようとする課題】
【０００３】
しかしながら、上記構成のスロットマシンの場合、上記メダル通路には障害物がないため、メダル投入口から例えば表面に光を遮断する遮光膜が貼り付けられたセル板等の異物を挿入し、その異物を上記２個の検出センサによって検出させることによって、あたかもメダルが通過したかのように見せる不正行為が行われるという問題がある。
【０００４】
本発明は、上記従来技術の課題を解決するためになされたものであり、メダル投入口からセル板等の異物を挿入し、メダルを誤検出させる不正行為を防止することができるようにした遊技機を提供することを目的とする。
【課題を解決するための手段】
【０００５】
本発明の遊技機は、遊技の際にメダルを投入する投入口と、投入されたメダルを振り分けるメダル振分け装置と、前記投入口と前記メダル振分け装置との間に設けられ、投入されたメダルを前記メダル振分け装置へと案内する案内通路と、を備え、前記案内通路の前記投入口と連通する第１開口と、前記案内通路の前記メダル振分け装置と連通する第２開口とを、前記メダルの案内方向に直交する面に投影したときに、前記第１開口の長手方向と前記第２開口の長手方向とが交差するように、前記案内通路を前記メダルの案内方向を軸にして捩った形状としたことを特徴とする。
【０００６】
また、前記案内方向に直交する前記案内通路の断面において、前記案内通路の長手方向を構成する２つの辺のそれぞれに前記案内通路を通過するメダルを捩る際の支点を設け、これら支点を前記案内通路の長手方向の中心から相反する方向にずらして配置したことが好ましい。また、前記案内通路の断面において、前記案内通路の長手方向を構成する２つの辺のそれぞれを前記案内通路の中心側に屈曲させて前記支点を設け、前記案内通路の最小の隙間をメダル１枚以上２枚未満の間隔としたことが好ましい。
【０００７】
また、前記メダル振分け装置は、通過するメダルを検出する２個の検出手段を備え、前記投入口の長手方向の長さをＡ、前記２個の検出手段の水平方向の幅をＢ、前記第１開口と第２開口とを前記メダルの案内方向に直交する面に投影したときに交差する角度をθ、前記投入口から挿入される異物の幅をαとした場合に、前記投入口と前記２個の検出手段とを、（Ａ−α）ｃｏｓθ＜２Ｂを満足するように配置したことが好ましい。
【発明の効果】
【０００８】
本発明の遊技機は、遊技の際にメダルを投入する投入口と、投入されたメダルを振り分けるメダル振分け装置と、前記投入口と前記メダル振分け装置との間に設けられ、投入されたメダルを前記メダル振分け装置へと案内する案内通路と、を備え、前記案内通路の前記投入口と連通する第１開口と、前記案内通路の前記メダル振分け装置と連通する第２開口とを、前記メダルの案内方向に直交する面に投影したときに、前記第１開口の長手方向と前記第２開口の長手方向とが交差するように、前記案内通路を前記メダルの案内方向を軸にして捩った形状としたので、異物を容易に挿入させることができなくなるので、異物の挿入による不正を防止することができる。
【０００９】
また、前記案内方向に直交する前記案内通路の断面において、前記案内通路の長手方向を構成する２つの辺のそれぞれに前記案内通路を通過するメダルを捩る際の支点を設け、これら支点を前記案内通路の長手方向の中心から相反する方向にずらして配置したから、投入されたメダルの案内通路内における詰まりを防止することができる。また、前記案内通路の断面において、前記案内通路の長手方向を構成する２つの辺のそれぞれを前記案内通路の中心側に屈曲させて前記支点を設け、前記案内通路の最小の隙間をメダル１枚以上２枚未満の間隔としたから、投入されたメダルの案内通路内における詰まりを防止することができる。
【００１０】
また、前記メダル振分け装置は、通過するメダルを検出する２個の検出手段を備え、前記投入口の長手方向の長さをＡ、前記２個の検出手段の水平方向の幅をＢ、前記第１開口と第２開口とを前記メダルの案内方向に直交する面に投影したときに交差する角度をθ、前記投入口から挿入される異物の幅をαとした場合に、前記投入口と前記２個の検出手段とを、（Ａ−α）ｃｏｓθ＜２Ｂを満足するように配置したので、上記関係式を満たすことによって、例えばセル板等の異物を挿入して上記検出手段の誤作動させる不正行為を防止することができる。
【発明を実施するための最良の形態】
【００１１】
図１に示すように、スロットマシン２は、収納箱４と、この収納箱４の前面に設けられた前面扉５とからなる筐体３の内部に、第１リール１１、第２リール１２、第３リール１３を有するリールユニット（図示省略）、ホッパー装置３５（図２参照）、電源装置３６（図２参照）等が配設された構成となっている。
【００１２】
前面扉５は、上部扉６と下部扉７との２枚の扉から構成される。上部扉６には表示窓１０が設けられている。表示窓１０の奥には第１リール１１，第２リール１２，第３リール１３が配設されている。周知のように、第１リール１１，第２リール１２，第３リール１３の外周には例えば複数種類の図柄が一定間隔で複数個配列されている。これらリールが停止すると、１リール当たり３個の図柄が表示窓１０を通して表示され、第１リール１１、第２リール１２、第３リール１３の全てのリールが停止した場合には、計９個の図柄が表示窓１０を介して表示される。
【００１３】
この表示窓１０の側方には、液晶表示装置１５が設けられている。この液晶表示装置１５は、遊技の実行の際にアニメーション表示を用いた演出を行ったり、遊技が行われていない場合のデモ表示等を行う。
【００１４】
下部扉７の上部には、遊技の開始時に操作される１枚ベットボタン２０、ＭＡＸベットボタン２１、ペイアウトボタン２２などの各種の操作ボタンが設けられる。なお、これらのボタンの機能はいずれも周知であるので、その詳細については省略する。また、これらボタンの近傍には、メダルベットが行われた後に操作されるスタートレバー２３や、回転するリールを停止させる第１ストップボタン２４、第２ストップボタン２５、第３ストップボタン２６が設けられる。
【００１５】
下部扉７の上部には、上述したボタンやレバーの他に、メダル３０を投入するメダル投入口２７が設けられている。このメダル投入口２７は、その長手方向がスロットマシン２の幅方向に交差するように、所定の角度傾むいた状態で配置される。また、下部扉７の下部には、入賞を得た場合に、メダル３０が払い出される払い出し口２８や、該払い出し口２８から払い出されたメダル３０を貯留するメダル受け皿２９が設けられる。
【００１６】
図２に示すように、下部扉７を開けると、収納箱４の下部に設けられたホッパー装置３５、電源装置３６等が露呈される。ホッパー装置３５は、スロットマシン２における遊技で入賞した場合に作動し、入賞に応じた払い出し枚数のメダル３０を払い出す。このホッパー装置３５の上部には、メダル３０を貯留する貯留タンク３７が設けられ、後述するメダルセレクタ４０を通過した適正なメダル３０がこの貯留タンク３７に貯留される。
【００１７】
一方、開けられた下部扉７の後面には、メダル投入口２７に連通するメダルセレクタ（メダル振分け装置）４０や、メダルセレクタ４０によって不適正であると判断されたメダル３０や、ホッパー装置３５から排出されたメダル３０が案内される排出通路（図示せず）が設けられる。なお、メダルセレクタ４０については周知であるので、以下では、メダルセレクタ４０の機能のみを説明し、その構成や説明については省略するものとする。
【００１８】
メダルセレクタ４０は、メダル投入口２７から投入されたメダル３０が適正なメダルであるか否かを振り分けるために設けられる。メダル投入口２７から投入されたメダル３０が適正なメダルである場合には、メダルセレクタ４０を通過して、ホッパー装置３５の貯留タンク３７の内部に貯留される。この場合、メダルセレクタ４０の内部に設けられた２つの光センサ（検出手段）８０，８１（図９参照）によって投入されたメダル３０が検出されることによって、メダル３０のカウントが実行される。一方、メダル投入口２７から投入されたメダル３０が不適正なメダルである場合には、メダルセレクタ４０の内部で振り分けられ、上述した排出通路を介してメダル受け皿２９に排出される。
【００１９】
また、例えば遊技の途中などの不適切なタイミングでメダル３０の投入が行われると、メダルセレクタ４０は投入されたメダル３０を排出通路を介してメダル受け皿２９に排出する。また、クレジット機能を用いていないときに３枚以上のメダル３０が投入された場合も、４枚目以降に投入されたメダル３０をメダル受け皿２９に排出する。なお、クレジット機能がオン状態のときには４枚目以降に投入されたメダル３０は、光センサ８０，８１で検知され、例えば５０枚を限度にカウントされる。なお、この場合、投入されたメダル３０は、ホッパー装置の貯留タンクに貯留される。
【００２０】
メダル投入口２７とメダルセレクタ４０との間には、略直方体状の通路形成部材４５が設けられる。図３に示すように、通路形成部材４５は、その上面から底面にかけてメダル通路（案内通路）５０が形成されており、メダル投入口２７から投入されるメダル３０は、メダル通路５０を介してメダルセレクタ４０に案内されることになる。なお、メダル通路５０は、メダル投入口２７から投入されたメダル３０を投入された状態で通過させる第１通路５１と、この第１通路５１と連通し、第１通路５１を通過したメダル３０を捩りながら通過させる第２通路５２とから構成される。
【００２１】
通路形成部材４５の上面には、メダル投入口２７とメダル通路５０の第１通路５１とを連通させる第１開口５５が設けられる。また、通路形成部材４５の底面には、メダル通路５０の第２通路５２とメダルセレクタ４０とを連通させる第２開口５６が設けられる。これら開口は、その中心が同軸上に配置される。図４に示すように、メダル３０の通過方向に直交する面に第１開口５５及び第２開口５６を投影すると、第１開口５５の長手方向Ｌ１に対して、第２開口５６の長手方向Ｌ２が反時計方向（図４中矢印Ｚ方向）に角度θ回転して配置される。これにより、同一平面に投影した場合には、第１開口５５の長手方向と第２開口５６の長手方向とが交差するように設けられている。
【００２２】
図５は、通路形成部材４５を第１開口５５側から見た正面図である。第１開口５５は、６つの直線６０〜６５から構成される。これら直線６０〜６５のうち、直線６０，６３は第１開口５５の幅方向（長手方向Ｌ１と直交する方向）の辺（第１開口５５の短辺）となる。直線６１と直線６２とは第１開口５５の長手方向Ｌ１の辺を構成しており、直線６１と直線６２との交点６６は、第１開口５５の中心Ｃ側に配置されるように設けられる。また、直線６４と直線６５とは第１開口５５の長手方向Ｌ１の辺を構成し、直線６１と直線６２とからなる辺に対向するように配置される。なお、直線６４と直線６５との交点６７は、第１開口５５の中心Ｃ側に配置される。つまり、第１開口５５の長手方向Ｌ１を構成する２つの辺は、第１開口５５の中心Ｃ側にそれぞれ屈曲していることになる。
【００２３】
また、直線６１，６２の交点６６、直線６４，６５の交点６７は、第１開口５５の長手方向の中心Ｃから、それぞれ相反する方向に間隔Ｄだけずれて形成される。なお、交点６６，６７をずらす方向は、メダル３０を捩る方向と対面する直線が長くなるように交点をずらす必要がある。本実施形態では、メダル３０を捩る方向は反時計方向（図４中Ｚ方向）であるから、交点６６は図５中Ｆ方向に、交点６７は図５中Ｇ方向にそれぞれずらして配置する。この交点６６，６７は、メダル通路５５を通過するメダル３０を捩る際の支点となる。これら支点を設けることによって、第１開口５５は、長手方向の中心に向けて幅が狭くなり、幅の最小隙間Ｈは、メダル３０の１枚の厚み以上メダル３０の２枚の厚み未満となるように設けられる。なお、第１開口５５と連通する第１通路５１の断面、第１通路と連通する第２通路５２の断面及び第２開口５６は、第１開口５５と同様の形状から構成される。
【００２４】
次に、本実施形態の作用を説明する。図６〜図８に示すように、遊技者がメダル投入口２７からメダル３０を投入すると、メダル投入口２７に連通して設けられた通路形成部材４５の第１開口５５からメダル３０がメダル通路５０の内部に入り込む。メダル通路５０の内部に入り込んだメダル３０は、第１通路５１の内部を通過する。第１通路５１は、通路自体が捩られていないので、メダル３０はそのまま第１通路５１の内部を通過する。
【００２５】
第１通路５１の内部を案内されたメダル３０は、その先端から第２通路５２の内部に入り込む。第２通路５２は、第１通路５１に対してその案内方向を軸として角度θ捩られているので、第２通路５２を通過するメダル３０は、第２通路５２の支点を繋ぐ稜線７０，７１を支点にして図６中Ｚ方向に捩られながら第２通路５２の内部を通過する。メダル３０の第２通路を通過する際には、第２通路の断面において支点６６，６７が、断面の長手方向の中心から相反する方向にずれて設けられるので、メダル３０をＺ方向に捩りながら通過させやすくなる。これにより、メダル３０がメダル通路５０の内部に詰まることなく、メダル通路５０の内部を通過することになる。なお、通路形成部材４５の底面に設けられた第２開口５６は、メダルセレクタ４０の開口４０ａに連通しているから、第２通路５２を通過したメダル３０は開口４０ａからメダルセレクタ４０の内部へと移動する。
【００２６】
メダルセレクタ４０の内部を通過するメダル３０は、メダルセレクタ４０の内部を通過する際に適正なメダルであるか否かの振り分けが行われ、適正なメダルである場合は、メダルセレクタ４０の内部に設けられた２つの光センサ８０，８１によって、光センサ８０、光センサ８１の順で検出される。これにより、投入されたメダルとしてカウントされる。一方、不適正なメダルの場合は排出経路を介して、メダル受け皿２９に排出される。
【００２７】
図９に示すように、このようなスロットマシン２の場合、例えばセル板８５等の異物をメダル投入口２７から挿入し、セル板８５を図中Ｘ方向に移動させる。この移動の際に、セル板８５の先端を、メダルセレクタ４０の内部に設けられた光センサ８０、光センサ８１によって、光センサ８０，光センサ８１の順で検出させた後に、光センサ８０、光センサ８１の順でその検出を停止させることで、実際にメダルを投入していなくともメダル３０が投入されたことになるといった不正行為が行われる場合がある。このような行為が行われことは遊技場の経営者にとって不利益になり、このような不正行為を行わせないように、スロットマシン２を製造する必要がある。
【００２８】
例えばセル板８５の幅をα、第１開口５５の長手方向の幅をＡとすると、セル板８５の移動距離は、Ａ−αとなる。一方、メダルセレクタ４０の内部に設けられた光センサ間の水平成分の間隔をＢとすると、メダルセレクタ４０に設けられたメダル通路９０にセル板８５を挿入し、水平方向に移動させる場合、セル板８５を図９中Ｙ方向に距離２Ｂ移動させる必要がある。本実施形態の場合には、通路形成部材４５の第１開口５５と第２開口５６とを同一の平面上に投影すると、第１開口５５と第２開口５６とが交差しており、その交差角度をθとすると、セル板８５を移動させた場合の移動距離の水平成分は（Ａ−α）ｃｏｓθとなる。なお、セル板８５をメダルセレクタ４０のメダル通路９０まで挿入させ、光センサ８０，８１を誤作動させる不正行為を防止する条件は、セル板８５を移動させた場合に、その水平成分が、光センサ８０，８１を誤作動させるための最低移動距離２Ｂよりも小さければいいので、（Ａ−α）ｃｏｓθ＜２Ｂの関係が成立すれば、セル板８５を用いた光センサ８０，８１の誤作動を防止することができる。
【図面の簡単な説明】
【００２９】
【図１】本発明のスロットマシンを示す斜視図である。
【図２】スロットマシンの下部扉を開けた状態を示す斜視図である。
【図３】通路形成部材の構成を示す平面図である。
【図４】通路形成部材に設けられる第１開口の構成を示す正面図である。
【図５】通路形成部材に設けられる第１開口の構成を示す正面図である。
【図６】通路形成部材に設けられたメダル通路の内部をメダルが通過する際の、メダルの状態を示す斜視図である。
【図７】メダルが第１通路内を通過する状態を第１開口側から示す正面図である。
【図８】メダルが第２通路内を通過する状態を第２開口側から示す正面図である。
【図９】通路形成部材と、メダルセレクタとの関係を示す概略図である。
【符号の説明】
【００３０】
２    スロットマシン
３０    メダル
４０    メダルセレクタ
４５    通路形成部材
５０    メダル通路
５１    第１通路
５２    第２通路
５５    第１開口
５６    第２開口
６６，６７    支点
８０，８１    光センサ
【図１】
2005211122.tif 000003
【図２】
2005211122.tif 000004
【図３】
2005211122.tif 000005
【図４】
2005211122.tif 000006
【図５】
2005211122.tif 000007
【図６】
2005211122.tif 000008
【図７】
2005211122.tif 000009
【図８】
2005211122.tif 000010
【図９】
2005211122.tif 000011